【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
基地局と通信するためのより広いシステム帯域幅から分割された１つまたは複数の狭帯域領域を決定することと、
第１のサブフレームの前記１つまたは複数の狭帯域領域内で、前記ＵＥによるサウンディング基準信号（ＳＲＳ）の送信のためのリソースを決定することと、ここにおいて、前記リソースは、物理アップリンク共有チャネル（ＰＵＳＣＨ）を送信するために使用されるリソースに少なくとも部分的に基づいて決定され、
ＳＲＳを送信するために利用可能なリソースがＰＵＳＣＨ狭帯域に完全に含まれるかどうかに少なくとも部分的に基づいて、前記第１のサブフレームの前記決定されたリソース上でＳＲＳを送信するべきか否かを判定することと、
前記判定に基づいて、前記第１のサブフレームの前記決定されたリソース上で前記ＳＲＳを送信すること、または送信しないことと、
を備える、方法。
【請求項２】
前記ＳＲＳを送信するべきか否かを判定することは、前記ＵＥが、前記第１のサブフレームの前記１つまたは複数の狭帯域領域のうちの第１の狭帯域領域から、第２のサブフレームの第２の狭帯域領域に再チューニングしなければならないかどうかに少なくとも部分的に基づく、請求項１に記載の方法。
【請求項３】
前記ＳＲＳを送信するべきか否かを判定することは、前記ＵＥの動作モードに少なくとも部分的にさらに基づき、ここにおいて、動作モードは、周波数分割複信（ＦＤＤ）モードまたは時分割複信（ＴＤＤ）モードのうちの少なくとも１つを備える、請求項２に記載の方法。
【請求項４】
前記リソースは、サイクリックシフトまたはコームインデックスの１つまたは複数を備える、狭帯域のサブセットについての上位レイヤ情報に少なくとも部分的に基づいて決定される、請求項１に記載の方法。
【請求項５】
ＳＲＳの送信をトリガするためのシグナリングを受信することをさらに備え、
前記ＳＲＳを送信するべきか否かを判定することは、前記受信されたシグナリングが所与の狭帯域領域について有効であることに少なくとも部分的に基づく、請求項１に記載の方法。
【請求項６】
ＳＲＳの送信をトリガするためのシグナリングを受信することと、
ＳＲＳを送信するためのトリガが有効である狭帯域領域の第１のセットを決定することと、
送信リソースのホッピングシーケンスを決定することと、
トリガが有効である狭帯域領域の前記第１のセットと、前記決定されたホッピングシーケンスとにしたがって送信パラメータを決定することと、
をさらに備え、
前記ＳＲＳを送信するべきか否かを判定することは、前記決定された送信パラメータに少なくとも部分的に基づいて、トリガが有効である狭帯域領域の前記第１のセットの第１のサブフレームにおいて前記ＳＲＳを送信すると判定することを備える、請求項１に記載の方法。
【請求項７】
ＳＲＳの送信をトリガするためのシグナリングを受信することをさらに備え、
前記シグナリングは、ダウンリンク許可を備え、ＳＲＳを送信するための前記リソースを決定することは、前記ダウンリンク許可において示されたリソースに少なくとも部分的に基づく、請求項１に記載の方法。
【請求項８】
ＳＲＳの送信をトリガするためのシグナリングを受信することと、
複数のＳＲＳ設定を基地局から受信することと、
ＳＲＳを行うためのトリガと、前記ＳＲＳを送信するために使用する前記複数のＳＲＳ設定のうちの１つのＳＲＳ設定のインジケーションとを備える、許可を前記基地局から受信することと、ここにおいて、ＳＲＳを送信するべきか否かを判定することは、前記トリガと前記ＳＲＳ設定の前記インジケーションとに少なくとも部分的に基づく、
をさらに備える、請求項１に記載の方法。
【請求項９】
ＳＲＳを行うためのトリガを備える許可を基地局から受信することと、
物理ダウンリンク共有チャネル（ＰＤＳＣＨ）受信が前記ＳＲＳ送信と衝突することになると決定することと、
前記ＳＲＳ送信、前記ＰＤＳＣＨ送信、または前記許可のうちの少なくとも１つをドロップすることと
をさらに備える、請求項１に記載の方法。
【請求項１０】
ＳＲＳについての高位レイヤ情報を受信することと、
ＳＲＳを行うためのトリガを備える許可を基地局から受信することと、
前記高位レイヤ情報および前記トリガに少なくとも部分的に基づいて送信パラメータを決定することと、ここにおいて、前記高位レイヤ情報は、符号分割多重（ＣＤＭ）インデックス、コームインデックス、またはサイクリックシフトのうちの少なくとも１つを備える、
をさらに備え、
ＳＲＳを送信するべきか否かを判定することは、前記決定された送信パラメータに基づく、請求項１に記載の方法。
【請求項１１】
ＳＲＳを送信するべきか否かを判定することは、１つより多くの直交周波数分割多重（ＯＦＤＭ）シンボルにわたって前記ＳＲＳを送信すると判定することを備える、請求項１０に記載の方法。
【請求項１２】
前記第１のサブフレームの前記決定されたリソース上でＳＲＳを送信するべきか否かの前記判定にかかわらず、前記第１のサブフレームにおける最後のシンボルのあたりで物理アップリンクチャネルについてのレートマッチングを行うことをさらに備え、ここにおいて、前記物理アップリンクチャネルは、物理アップリンク共有チャネル（ＰＵＳＣＨ）または物理アップリンク制御チャネル（ＰＵＣＣＨ）である、請求項１に記載の方法。
【請求項１３】
前記ＵＥは、前記第１のサブフレームの前記決定されたリソース上で前記ＳＲＳを送信しないと判定し、
前記第１のサブフレームにおける、または後続のサブフレームにおける送信により前記ＳＲＳがドロップされるかどうかに少なくとも部分的に基づいて、前記第１のサブフレームにおける最後のシンボルのあたりで物理アップリンクチャネルについてのレートマッチングを行うべきか否かを決定すること
をさらに備え、ここにおいて、前記物理アップリンクチャネルは、物理アップリンク共有チャネル（ＰＵＳＣＨ）または物理アップリンク制御チャネル（ＰＵＣＣＨ）である、請求項１に記載の方法。
【請求項１４】
ワイヤレス通信のための装置であって、
基地局と通信するためのより広いシステム帯域幅から分割された１つまたは複数の狭帯域領域を決定するための手段と、
第１のサブフレームの前記１つまたは複数の狭帯域領域内で、前記ＵＥによるサウンディング基準信号（ＳＲＳ）の送信のためのリソースを決定するための手段と、ここにおいて、前記リソースは、物理アップリンク共有チャネル（ＰＵＳＣＨ）を送信するために使用されるリソースに少なくとも部分的に基づいて決定され、
ＳＲＳを送信するために利用可能なリソースがＰＵＳＣＨ狭帯域に完全に含まれるかどうかに少なくとも部分的に基づいて、前記第１のサブフレームの前記決定されたリソース上でＳＲＳを送信するべきか否かを判定するための手段と、
前記判定に基づいて、前記第１のサブフレームの前記決定されたリソース上で前記ＳＲＳを送信する、または送信しないための手段と、
を備える、装置。
【請求項１５】
ワイヤレス通信のためのコンピュータ可読媒体であって、少なくとも１つのプロセッサによって実行されると、前記少なくとも１つのプロセッサに、
基地局と通信するためのより広いシステム帯域幅から分割された１つまたは複数の狭帯域領域を決定することと、
第１のサブフレームの前記１つまたは複数の狭帯域領域内で、前記ＵＥによるサウンディング基準信号（ＳＲＳ）の送信のためのリソースを決定することと、ここにおいて、前記リソースは、物理アップリンク共有チャネル（ＰＵＳＣＨ）を送信するために使用されるリソースに少なくとも部分的に基づいて決定され、
ＳＲＳを送信するために利用可能なリソースがＰＵＳＣＨ狭帯域に完全に含まれるかどうかに少なくとも部分的に基づいて、前記第１のサブフレームの前記決定されたリソース上でＳＲＳを送信するべきか否かを判定することと、
前記判定に基づいて、前記第１のサブフレームの前記決定されたリソース上で前記ＳＲＳを送信すること、または送信しないことと、
を行わせるコードを備える、コンピュータ可読媒体。
【手続補正２】
【補正対象書類名】明細書
【補正対象項目名】００９７
【補正方法】変更
【補正の内容】
【００９７】
[0103]  特許請求の範囲が、上に例示されているまさにその構成およびコンポーネントに限定されるものではないことが理解されるべきである。様々な修正、変更、および変形が、特許請求の範囲から逸脱することなく、上述された装置および方法の配列、動作、および詳細でなされ得る。
以下に、本願の出願当初の特許請求の範囲に記載された発明を付記する。
［Ｃ１］
ユーザ機器（ＵＥ）によるワイヤレス通信のための方法であって、
基地局と通信するためのより広いシステム帯域幅から分割された１つまたは複数の狭帯域領域を決定することと、
第１のサブフレームの前記１つまたは複数の狭帯域領域内で、前記ＵＥによるサウンディング基準信号（ＳＲＳ）の送信のためのリソースを決定することと、
前記第１のサブフレームの前記決定されたリソース上でＳＲＳを送信するべきか否かを判定することと、
前記判定に基づいて、前記第１のサブフレームの前記決定されたリソース上で前記ＳＲＳを送信すること、または送信しないことと
を備える、方法。
［Ｃ２］
前記ＳＲＳを送信するべきか否かを判定することは、前記ＵＥが、前記第１のサブフレームの前記１つまたは複数の狭帯域領域のうちの第１の狭帯域領域から、第２のサブフレームの第２の狭帯域領域に再チューニングしなければならないかどうかに少なくとも部分的に基づく、Ｃ１に記載の方法。
［Ｃ３］
前記ＳＲＳを送信するべきか否かを判定することは、前記第１の狭帯域領域の周波数ロケーションまたは前記第１のサブフレームの方向のうちの少なくとも１つに、あるいは前記第２の狭帯域領域の周波数ロケーションまたは前記第２のサブフレームの方向のうちの少なくとも１つに少なくとも部分的にさらに基づく、Ｃ２に記載の方法。
［Ｃ４］
ＳＲＳを送信するべきか否かを判定することは、前記第１の狭帯域領域の前記周波数ロケーションが前記第２の狭帯域領域の前記周波数ロケーションとは異なるか、または前記第１のサブフレームの前記方向が前記第２のサブフレームの前記方向とは異なる場合に、前記ＳＲＳを送信しないと判定することを備える、Ｃ３に記載の方法。
［Ｃ５］
前記ＳＲＳを送信するべきか否かを判定することは、前記ＵＥの動作モードに少なくとも部分的にさらに基づき、ここにおいて、動作モードは、周波数分割複信（ＦＤＤ）モードまたは時分割複信（ＴＤＤ）モードのうちの少なくとも１つを備える、Ｃ３に記載の方法。
［Ｃ６］
ＴＤＤモードについては、前記ＳＲＳを送信するべきか否かを判定することは、部分的なダウンリンクサブフレームの持続時間または部分的なアップリンクサブフレームの持続時間のうちの少なくとも１つに少なくとも部分的にさらに基づく、Ｃ５に記載の方法。
［Ｃ７］
前記リソースは、物理アップリンク共有チャネル（ＰＵＳＣＨ）を送信するために使用されるリソースに少なくとも部分的に基づいて決定され、
前記ＳＲＳを送信するべきか否かを判定することは、ＳＲＳを送信するために利用可能なリソースがＰＵＳＣＨ狭帯域上に完全に含まれるかどうかに少なくとも部分的に基づく、Ｃ１に記載の方法。
［Ｃ８］
前記リソースは、サイクリックシフトまたはコームインデックスの１つまたは複数を備える、狭帯域のサブセットについての上位レイヤ情報に少なくとも部分的に基づいて決定される、Ｃ１に記載の方法。
［Ｃ９］
ＳＲＳの送信をトリガするためのシグナリングを受信することをさらに備える、Ｃ１に記載の方法。
［Ｃ１０］
前記ＳＲＳを送信するべきか否かを判定することは、前記受信されたシグナリングが所与の狭帯域領域について有効であることに少なくとも部分的に基づく、Ｃ９に記載の方法。
［Ｃ１１］
ＳＲＳを送信するためのトリガが有効である狭帯域領域の第１のセットを決定することと、
送信リソースのホッピングシーケンスを決定することと、
トリガが有効である狭帯域領域の前記第１のセットと、前記決定されたホッピングシーケンスとにしたがって送信パラメータを決定することと
をさらに備え、
前記ＳＲＳを送信するべきか否かを判定することは、前記決定された送信パラメータに少なくとも部分的に基づいて、トリガが有効である狭帯域領域の前記第１のセットの第１のサブフレームにおいて前記ＳＲＳを送信すると判定することを備える、Ｃ９に記載の方法。
［Ｃ１２］
前記シグナリングは、ダウンリンク許可を備え、ＳＲＳを送信するための前記リソースを決定することは、前記ダウンリンク許可において示されたリソースに少なくとも部分的に基づく、Ｃ９に記載の方法。
［Ｃ１３］
複数のＳＲＳ設定を基地局から受信することと、
ＳＲＳを行うためのトリガと、前記ＳＲＳを送信するために使用する前記複数のＳＲＳ設定のうちの１つのＳＲＳ設定のインジケーションとを備える、許可を前記基地局から受信することと、ここにおいて、ＳＲＳを送信するべきか否かを判定することは、前記トリガと前記ＳＲＳ設定の前記インジケーションとに少なくとも部分的に基づく、
をさらに備える、Ｃ９に記載の方法。
［Ｃ１４］
ＳＲＳを行うためのトリガを備える許可を基地局から受信することと、
物理ダウンリンク共有チャネル（ＰＤＳＣＨ）受信が前記ＳＲＳ送信と衝突することになると決定することと、
前記ＳＲＳ送信、前記ＰＤＳＣＨ送信、または前記許可のうちの少なくとも１つをドロップすることと
をさらに備える、Ｃ１に記載の方法。
［Ｃ１５］
ＳＲＳについての高位レイヤ情報を受信することと、
ＳＲＳを行うためのトリガを備える許可を基地局から受信することと、
前記高位レイヤ情報および前記トリガに少なくとも部分的に基づいて送信パラメータを決定することと、ここにおいて、前記高位レイヤ情報は、符号分割多重（ＣＤＭ）インデックス、コームインデックス、またはサイクリックシフトのうちの少なくとも１つを備える、
をさらに備え、
ＳＲＳを送信するべきか否かを判定することは、前記決定された送信パラメータに基づく、Ｃ１に記載の方法。
［Ｃ１６］
ＳＲＳを送信するべきか否かを判定することは、１つより多くの直交周波数分割多重（ＯＦＤＭ）シンボルにわたって前記ＳＲＳを送信すると判定することを備える、Ｃ１５に記載の方法。
［Ｃ１７］
前記第１のサブフレームの前記決定されたリソース上でＳＲＳを送信するべきか否かの前記判定にかかわらず、前記第１のサブフレームにおける最後のシンボルのあたりで物理アップリンクチャネルについてのレートマッチングを行うことをさらに備え、ここにおいて、前記物理アップリンクチャネルは、物理アップリンク共有チャネル（ＰＵＳＣＨ）または物理アップリンク制御チャネル（ＰＵＣＣＨ）である、Ｃ１に記載の方法。
［Ｃ１８］
前記ＵＥは、前記第１のサブフレームの前記決定されたリソース上で前記ＳＲＳを送信しないと判定し、
前記第１のサブフレームにおける、または後続のサブフレームにおける送信により前記ＳＲＳがドロップされるかどうかに少なくとも部分的に基づいて、前記第１のサブフレームにおける最後のシンボルのあたりで物理アップリンクチャネルについてのレートマッチングを行うべきか否かを決定すること
をさらに備え、ここにおいて、前記物理アップリンクチャネルは、物理アップリンク共有チャネル（ＰＵＳＣＨ）または物理アップリンク制御チャネル（ＰＵＣＣＨ）である、Ｃ１に記載の方法。
［Ｃ１９］
ワイヤレス通信のための装置であって、
基地局と通信するためのより広いシステム帯域幅から分割された１つまたは複数の狭帯域領域を決定することと、
第１のサブフレームの前記１つまたは複数の狭帯域領域内で、前記ＵＥによるサウンディング基準信号（ＳＲＳ）の送信のためのリソースを決定することと、
前記第１のサブフレームの前記決定されたリソース上でＳＲＳを送信するべきか否かを判定することと
を行うように構成された少なくとも１つのプロセッサと、
前記判定に基づいて、前記第１のサブフレームの前記決定されたリソース上で前記ＳＲＳを送信する、または送信しないように構成された送信機と
を備える、装置。
［Ｃ２０］
前記少なくとも１つのプロセッサは、前記装置が、前記第１のサブフレームの前記１つまたは複数の狭帯域領域のうちの第１の狭帯域領域から、第２のサブフレームの第２の狭帯域領域に再チューニングしなければならないかどうかに少なくとも部分的に基づいて、前記ＳＲＳを送信するべきか否かを判定するように構成される、Ｃ１９に記載の装置。
［Ｃ２１］
前記少なくとも１つのプロセッサは、前記第１の狭帯域領域の周波数ロケーションまたは前記第１のサブフレームの方向のうちの少なくとも１つに、あるいは前記第２の狭帯域領域の周波数ロケーションまたは前記第２のサブフレームの方向のうちの少なくとも１つに少なくとも部分的に基づいて、前記ＳＲＳを送信するべきか否かを判定するようにさらに構成される、Ｃ２０に記載の装置。
［Ｃ２２］
前記少なくとも１つのプロセッサは、前記第１の狭帯域領域の前記周波数ロケーションが前記第２の狭帯域領域の前記周波数ロケーションとは異なるか、または前記第１のサブフレームの前記方向が前記第２のサブフレームの前記方向とは異なる場合に、前記ＳＲＳを送信しないと判定するように構成される、Ｃ２１に記載の装置。
［Ｃ２３］
前記少なくとも１つのプロセッサは、前記ＵＥの動作モードに少なくとも部分的に基づいて、前記ＳＲＳを送信するべきか否かを判定するようにさらに構成され、ここにおいて、動作モードは、周波数分割複信（ＦＤＤ）モードまたは時分割複信（ＴＤＤ）モードのうちの少なくとも１つを備える、Ｃ２１に記載の装置。
［Ｃ２４］
ＴＤＤモードについては、前記少なくとも１つのプロセッサは、部分的なダウンリンクサブフレームの持続時間または部分的なアップリンクサブフレームの持続時間のうちの少なくとも１つに少なくとも部分的にさらに基づいて、前記ＳＲＳを送信するべきか否かを判定するように構成される、Ｃ２３に記載の装置。
［Ｃ２５］
前記少なくとも１つのプロセッサは、
物理アップリンク共有チャネル（ＰＵＳＣＨ）を送信するために使用されるリソースに少なくとも部分的に基づいて前記リソースを決定することと、
ＳＲＳを送信するために利用可能なリソースがＰＵＳＣＨ狭帯域上に完全に含まれるかどうかに少なくとも部分的に基づいて、前記ＳＲＳを送信するべきか否かを判定することと
を行うように構成される、Ｃ１９に記載の装置。
［Ｃ２６］
前記少なくとも１つのプロセッサは、サイクリックシフトまたはコームインデックスの１つまたは複数を備える、狭帯域のサブセットについての上位レイヤ情報に少なくとも部分的に基づいて前記リソースを決定するように構成される、Ｃ１９に記載の装置。
［Ｃ２７］
ＳＲＳの送信をトリガするためのシグナリングを受信するように構成された受信機をさらに備える、Ｃ１９に記載の装置。
［Ｃ２８］
前記少なくとも１つのプロセッサは、前記受信されたシグナリングが所与の狭帯域領域について有効であることに少なくとも部分的に基づいて前記ＳＲＳを送信するべきか否かを判定するように構成される、Ｃ２７に記載の装置。
［Ｃ２９］
前記少なくとも１つのプロセッサは、
ＳＲＳを送信するためのトリガが有効である狭帯域領域の第１のセットを決定することと、
送信リソースのホッピングシーケンスを決定することと、
トリガが有効である狭帯域領域の前記第１のセットと、前記決定されたホッピングシーケンスとにしたがって送信パラメータを決定することと、
前記決定された送信パラメータに少なくとも部分的に基づいて、トリガが有効である狭帯域領域の前記第１のセットの第１のサブフレームにおいて前記ＳＲＳを送信すると判定することによって、前記ＳＲＳを送信するべきか否かを判定することと
を行うようにさらに構成される、Ｃ２７に記載の装置。
［Ｃ３０］
前記シグナリングは、ダウンリンク許可を備え、前記少なくとも１つのプロセッサは、前記ダウンリンク許可において示されたリソースに少なくとも部分的に基づいて、ＳＲＳを送信するための前記リソースを決定するように構成される、Ｃ２７に記載の装置。
［Ｃ３１］
前記受信機は、
複数のＳＲＳ設定を基地局から受信することと、
ＳＲＳを行うためのトリガと、前記ＳＲＳを送信するために使用する前記複数のＳＲＳ設定のうちの１つのＳＲＳ設定のインジケーションとを備える許可を、前記基地局から受信することと
を行うようにさらに構成され、
前記少なくとも１つのプロセッサは、前記トリガと前記ＳＲＳ設定の前記インジケーションとに少なくとも部分的に基づいて、ＳＲＳを送信するべきか否かを判定するようにさらに構成される、
Ｃ２７に記載の装置。
［Ｃ３２］
ＳＲＳを行うためのトリガを備える許可を基地局から受信するように構成された受信機をさらに備え、
前記少なくとも１つのプロセッサは、
物理ダウンリンク共有チャネル（ＰＤＳＣＨ）受信が前記ＳＲＳ送信と衝突することになると決定することと、
前記ＳＲＳ送信、前記ＰＤＳＣＨ送信、または前記許可のうちの少なくとも１つをドロップすることと
を行うように構成される、Ｃ１９に記載の装置。
［Ｃ３３］
ＳＲＳについての高位レイヤ情報を受信することと、
ＳＲＳを行うためのトリガを備える許可を基地局から受信することと
を行うように構成された受信機
をさらに備え、
前記少なくとも１つのプロセッサは、
前記高位レイヤ情報および前記トリガに少なくとも部分的に基づいて送信パラメータを決定することと、ここにおいて、前記高位レイヤ情報は、符号分割多重（ＣＤＭ）インデックス、コームインデックス、またはサイクリックシフトのうちの少なくとも１つを備える、
前記決定された送信パラメータに基づいてＳＲＳを送信するべきか否かを判定することと
を行うようにさらに構成される、Ｃ１９に記載の装置。
［Ｃ３４］
前記少なくとも１つのプロセッサは、１つより多くの直交周波数分割多重（ＯＦＤＭ）シンボルにわたって前記ＳＲＳを送信すると判定することによって、ＳＲＳを送信するべきか否かを判定するように構成される、Ｃ３３に記載の装置。
［Ｃ３５］
前記少なくとも１つのプロセッサは、前記第１のサブフレームの前記決定されたリソース上でＳＲＳを送信するべきか否かの前記判定にかかわらず、前記第１のサブフレームにおける最後のシンボルのあたりで物理アップリンクチャネルについてのレートマッチングを行うようにさらに構成され、ここにおいて、前記物理アップリンクチャネルは、物理アップリンク共有チャネル（ＰＵＳＣＨ）または物理アップリンク制御チャネル（ＰＵＣＣＨ）である、Ｃ１９に記載の装置。
［Ｃ３６］
前記装置は、前記第１のサブフレームの前記決定されたリソース上で前記ＳＲＳを送信しないと判定し、前記少なくとも１つのプロセッサは、前記第１のサブフレームにおける、または後続のサブフレームにおける送信により前記ＳＲＳがドロップされるかどうかに少なくとも部分的に基づいて、前記第１のサブフレームにおける最後のシンボルのあたりで物理アップリンクチャネルについてのレートマッチングを行うべきか否かを決定するように構成され、ここにおいて、前記物理アップリンクチャネルは、物理アップリンク共有チャネル（ＰＵＳＣＨ）または物理アップリンク制御チャネル（ＰＵＣＣＨ）である、Ｃ１９に記載の装置。
［Ｃ３７］
ワイヤレス通信のための装置であって、
基地局と通信するためのより広いシステム帯域幅から分割された１つまたは複数の狭帯域領域を決定するための手段と、
第１のサブフレームの前記１つまたは複数の狭帯域領域内で、前記ＵＥによるサウンディング基準信号（ＳＲＳ）の送信のためのリソースを決定するための手段と、
前記第１のサブフレームの前記決定されたリソース上でＳＲＳを送信するべきか否かを判定するための手段と、
前記判定に基づいて、前記第１のサブフレームの前記決定されたリソース上で前記ＳＲＳを送信する、または送信しないための手段と
を備える、装置。
［Ｃ３８］
ワイヤレス通信のためのコンピュータ可読媒体であって、少なくとも１つのプロセッサによって実行されると、前記少なくとも１つのプロセッサに、
基地局と通信するためのより広いシステム帯域幅から分割された１つまたは複数の狭帯域領域を決定することと、
第１のサブフレームの前記１つまたは複数の狭帯域領域内で、前記ＵＥによるサウンディング基準信号（ＳＲＳ）の送信のためのリソースを決定することと、
前記第１のサブフレームの前記決定されたリソース上でＳＲＳを送信するべきか否かを判定することと、
前記判定に基づいて、前記第１のサブフレームの前記決定されたリソース上で前記ＳＲＳを送信すること、または送信しないことと
を行わせるコードを備える、コンピュータ可読媒体。